(57)【要約】   映像符号化エンティティ及び映像復号化エンティティにおける方法及び装置。方法及び装置は、符号化映像と関連付けられた参照情報の合同符号化に関する。復号化エンティティにおける方法及び装置は、符号化ブロックＢｅと関連付けられた単一の構文要素を取得すること（４０２）と、取得した構文要素に基づいて参照モード及び１つ以上の参照ピクチャを識別すること（４０４）とに関する。また、方法及び装置は、識別された参照モード及び１つ以上の参照ピクチャに基づいてブロックＢｅを復号化すること（４０６）により、画素の復号化ブロックＢを提供することに関する。
2013514718.tif 000002
【特許請求の範囲】
【請求項１】
映像復号化エンティティにおける方法であって、
符号化ブロックＢeと関連付けられた単一の構文要素を取得するステップ（４０２）と、
前記取得した構文要素に基づいて参照モード及び１つ以上の参照ピクチャを識別するステップ（４０４）と、
前記識別された参照モード及び１つ以上の参照ピクチャに基づいて前記ブロックＢeを復号化（４０６）するステップとを有し、画素の復号化ブロックＢを提供することを特徴とする方法。
【請求項２】
参照モード及び１つ以上の参照ピクチャの前記識別は、前記取得した構文要素と前記ブロックＢeを復号化する際に使用される前記参照モード及び１つ以上の特定の参照ピクチャとの事前定義されたマッピングに基づくことを特徴とする請求項１に記載の方法。
【請求項３】
前記単一の構文要素は、事前定義された第１の参照リストにおけるエントリを表すことを特徴とする請求項１又は２に記載の方法。
【請求項４】
前記第１の参照リストは、
複数の参照ピクチャ、
単一の参照ピクチャ
のうちの少なくとも１つを識別する１つ以上のエントリを含むことを特徴とする請求項３に記載の方法。
【請求項５】
前記第１の参照リストにおける各エントリは、参照モードを更に識別することを特徴とする請求項４に記載の方法。
【請求項６】
前記単一の構文要素は、事前定義された第２の参照リストにおける参照モード及びエントリを更に表すことを特徴とする請求項３又は４に記載の方法。
【請求項７】
前記第２の参照リストは、単一の参照ピクチャを識別する１つ以上のエントリを含むことを特徴とする請求項６に記載の方法。
【請求項８】
前記１つ以上のリストエントリはリストインデックスにより識別されることを特徴とする請求項３乃至７のいずれか１項に記載の方法。
【請求項９】
前記取得した構文要素を表すビット数は、前記構文要素の特定の値の確率に関連し、少ないビットが確率値を示し、より多くのビットがより小さい確率値を示すことを特徴とする請求項１乃至８のいずれか１項に記載の方法。
【請求項１０】
隣接ブロックと関連付けられた単一の構文要素に基づいてＢeに対して参照情報予測を実行するステップを更に備えることを特徴とする請求項１乃至９のいずれか１項に記載の方法。
【請求項１１】
マルチ予測と関連付けられたブロックの１つ以上のサブ領域を識別するステップと、
ここで、そのサブ領域に対して、前記マルチ予測参照ブロックのそれぞれの対応する領域は相対的に低い相関性を有するｌ
前記ブロックの前記識別された１つ以上のサブ領域に対して、前記マルチ予測ではなく別の予測を使用するステップと
を更に備えることを特徴とする請求項１乃至１０のいずれか１項に記載の方法。
【請求項１２】
映像復号化エンティティ（５０１）における装置（５００）であって、
符号化ブロックＢeと関連付けられた単一の構文要素を取得するように構成された取得ユニット（５０４）と、
前記取得した構文要素に基づいて参照モード及び１つ以上の参照ピクチャを識別するように構成された識別ユニット（５０６）と、
前記識別された参照モード及び１つ以上の参照ピクチャに基づいて前記ブロックＢeを復号化し、画素の復号化ブロックＢを提供するように構成された復号化ユニット（５０８）と、
を備えることを特徴とする装置（５００）。
【請求項１３】
前記取得した構文要素と前記ブロックＢeを復号化する際に使用される前記参照モード及び１つ以上の特定の参照ピクチャとの事前定義されたマッピングに基づいて、前記参照モード及び前記１つ以上の参照ピクチャを識別するように更に構成されることを特徴とする請求項１２に記載の装置。
【請求項１４】
前記単一の構文要素を事前定義された第１の参照リストにおけるエントリを表すものとして解釈するように更に構成されることを特徴とする請求項１２又は１３に記載の装置。
【請求項１５】
前記第１の参照リストは、
複数の参照ピクチャ、
単一の参照ピクチャ
のうちの少なくとも１つを識別する１つ以上のエントリを含むことを特徴とする請求項１４に記載の装置。
【請求項１６】
前記第１の参照リストにおける各エントリは、参照モードを更に識別することを特徴とする請求項１５に記載の装置。
【請求項１７】
前記単一の構文要素を事前定義された第２の参照リストにおける参照モード及びエントリを更に表すものとして解釈するように更に構成されることを特徴とする請求項１４又は１５に記載の装置。
【請求項１８】
前記第２の参照リストは、単一の参照ピクチャを識別する１つ以上のエントリを含むことを特徴とする請求項１７に記載の装置。
【請求項１９】
前記１つ以上のリストエントリはリストインデックスにより識別されることを特徴とする請求項１４乃至１８のいずれか１項に記載の装置。
【請求項２０】
少ないビットが確率値を示し、より多くのビットがより小さい確率値を示すように、前記取得した構文要素を表すビット数を前記構文要素の特定の値の確率に相関するものとして解釈するように更に構成されることを特徴とする請求項１２乃至１９のいずれか１項に記載の装置。
【請求項２１】
隣接ブロックと関連付けられた単一の構文要素に基づいてＢeに対して参照情報予測を実行するように更に構成されることを特徴とする請求項１２乃至２０のいずれか１項に記載の装置。
【請求項２２】
マルチ予測と関連付けられたブロックの１つ以上のサブ領域を識別するように更に構成され、そのサブ領域に対して、前記マルチ予測参照ブロックのそれぞれの対応する領域が相対的に低い相関性を有し、
前記ブロックの前記識別された１つ以上のサブ領域に対して、前記マルチ予測ではなく別の予測を使用するように更に構成されることを特徴とする請求項１２乃至２１のいずれか１項に記載の装置。
【請求項２３】
映像符号化エンティティにおける方法であって、
参照モード及び１つ以上の参照ピクチャを使用して画素のブロックＢを符号化（６０２）し、符号化ブロックＢｅを提供するステップと、
前記参照モード及び前記１つ以上の参照ピクチャを識別する単一の構文要素を導出するステップ（６０４）と、
前記単一の構文要素を前記ブロックＢｅの復号器に提供するステップ（６０６）と、
を有することを特徴とする方法。
【請求項２４】
前記構文要素は、前記使用された参照モード及び１つ以上の参照ピクチャが事前定義されたマッピング方式に従って前記構文要素にマッピングされることで導出されることを特徴とする請求項２３に記載の方法。
【請求項２５】
前記単一の構文要素は、事前定義された第１の参照リストにおけるエントリを表すことを特徴とする請求項２３又は２４に記載の方法。
【請求項２６】
前記第１の参照リストは、
複数の参照ピクチャ、
それぞれの単一の参照ピクチャ
のうちの少なくとも１つを識別する１つ以上のエントリを含むことを特徴とする請求項２５に記載の方法。
【請求項２７】
前記第１の参照リストにおける各エントリは、参照モードを更に識別することを特徴とする請求項２６に記載の方法。
【請求項２８】
前記単一の構文要素は、事前定義された第２の参照リストにおける参照モード及びエントリを更に表すことを特徴とする請求項２５又は２６に記載の方法。
【請求項２９】
前記第２の参照リストは、それぞれの単一の参照ピクチャを識別する１つ以上のエントリを含むことを特徴とする請求項２８に記載の方法。
【請求項３０】
前記１つ以上のリストエントリはリストインデックスにより識別されることを特徴とする請求項２５乃至２９のいずれか１項に記載の方法。
【請求項３１】
より高い確率が少ないビットに対応し、より低い確率がより多くのビットに対応するように、前記構文要素が識別する前記特定のモード及びピクチャの確率に相関するように前記構文要素を表すビット数を選択するステップを更に備えることを特徴とする請求項２３乃至３０のいずれか１項に記載の方法。
【請求項３２】
Ｂの隣接ブロックと関連付けられた単一の構文要素に基づいてＢ又はＢeに対して参照情報予測を実行することを更に備えることを特徴とする請求項２３乃至３１のいずれか１項に記載の方法。
【請求項３３】
マルチ予測と関連付けられたブロックの１つ以上のサブ領域を識別するステップと、
ここで、そのサブ領域に対して、前記マルチ予測参照ブロックのそれぞれの対応する領域は相対的に低い相関性を有する；
前記ブロックの前記識別された１つ以上のサブ領域に対して、前記マルチ予測ではなく別の予測を使用するステップと
を更に備えることを特徴とする請求項２３乃至３２のいずれか１項に記載の方法。
【請求項３４】
映像符号化エンティティにおける装置（７００）であって、
参照モード及び１つ以上の参照ピクチャを使用して画素のブロックＢを符号化することにより、符号化ブロックＢeを提供するように構成された符号化ユニット（７０２）と、
前記参照モード及び前記１つ以上の参照ピクチャを識別する単一の構文要素を導出するように構成された導出ユニット（７０４）と、
前記単一の構文要素を前記ブロックＢeの復号器に提供するように構成された提供ユニット（７０６）と、
を備えることを特徴とする装置（７００）。
【請求項３５】
前記参照モード及び１つ以上の参照ピクチャと前記構文要素との所定のマッピングから前記構文要素を導出するように更に構成されることを特徴とする請求項３４に記載の装置。
【請求項３６】
事前定義された第１の参照リストにおけるエントリを表す単一の構文要素を選択することで前記単一の構文要素を導出するように更に構成されることを特徴とする請求項３４又は３５に記載の装置。
【請求項３７】
前記第１の参照リストは、
複数の参照ピクチャ、
それぞれの単一の参照ピクチャ
のうちの少なくとも１つを識別する１つ以上のエントリを含むことを特徴とする請求項３６に記載の装置。
【請求項３８】
前記第１の参照リストにおける各エントリは、参照モードを更に識別することを特徴とする請求項３７に記載の装置。
【請求項３９】
事前定義された第２の参照リストにおける参照モード及びエントリを更に表すように前記単一の構文要素を導出するように更に構成されることを特徴とする請求項３６又は３７に記載の装置。
【請求項４０】
前記第２の参照リストは、それぞれの単一の参照ピクチャを識別する１つ以上のエントリを含むことを特徴とする請求項３９に記載の装置。
【請求項４１】
１つ以上の事前定義された参照リストにおける１つ以上のエントリを識別するリストインデックスを前記選択することで前記単一の構文要素を導出するように更に構成されることを特徴とする請求項３６乃至４０のいずれか１項に記載の装置。
【請求項４２】
より高い確率が少ないビットに対応し、より低い確率がより多くのビットに対応するように、前記構文要素が識別する前記特定のモード及びピクチャの確率に相関するように前記構文要素を表すビット数を選択するように更に構成されることを特徴とする請求項３４乃至４１のいずれか１項に記載の装置。
【請求項４３】
隣接ブロックと関連付けられた単一の構文要素に基づいてＢ又はＢeに対して参照情報予測を実行するように更に構成されることを特徴とする請求項３４乃至４２のいずれか１項に記載の装置。
【請求項４４】
マルチ予測と関連付けられたブロックの１つ以上のサブ領域を識別するように更に構成され、
ここで、そのサブ領域に対して、前記マルチ予測参照ブロックのそれぞれの対応する領域は相対的に低い相関性を有する；
前記ブロックの前記識別された１つ以上のサブ領域に対して、前記マルチ予測ではなく別の予測を使用するように更に構成される
ことを特徴とする請求項３４乃至４３のいずれか１項に記載の装置。
【請求項４５】
請求項１２乃至２２及び請求項３４乃至４４のいずれか１項に記載の装置において実行された時に請求項１乃至１１及び請求項２３乃至３３のいずれか１項に記載の対応する手順を前記装置に実行させるコンピュータ可読コード手段を備えることを特徴とするコンピュータプログラム（８１０）。
【請求項４６】
請求項４５に記載の前記コンピュータプログラムを含むことを特徴とするコンピュータが可読な記憶媒体（８０８）。
【発明の詳細な説明】
【技術分野】
【０００１】
本発明は、一般に、映像符号化に関連した情報を符号化する方法及び装置に関する。
【背景技術】
【０００２】
映像符号化は、イントラモード及び／又はインターモードで実行される。イントラモードは映像フレーム内の冗長性を利用し、インターモードは映像フレーム間の冗長性を利用する。インターモードにおいて、画の輝度(luma)／クロマ(chroma)予測値は、参照ピクチャと呼ばれる既に符号化／復号化されたピクチャから取得される。予測のために使用された参照ピクチャの数に依存して、インターモードは、それぞれ１つ、２つ及び３つの参照ピクチャが使用される単一方向予測モード（又は単一方向モード）、双方向予測モード（Ｂモード）及び場合によっては３方向予測モード等に分類される。本明細書内において、３つの異なるモード、すなわち単一方向予測、双方向予測等を「参照モード」と呼ぶ。
【０００３】
Ｈ．２６４及びＭＰＥＧ−４  Ｐａｒｔ１０としても既知である高度映像符号化（ＡＶＣ）は、ＩＴＵ−Ｔ（国際電気通信連合−電気通信標準化部門）及びＭＰＥＧ（Ｍｏｖｉｎｇ  Ｐｉｃｔｕｒｅ  Ｅｘｐｅｒｔｓ  Ｇｒｏｕｐ）の２Ｄ映像符号化に対する最新の規格である。ＡＶＣコーデックは、フレーム間及び１つのフレーム内の冗長性を除去することを利用するハイブリッドコーデックである。
【０００４】
ＡＶＣにおいて、関連する参照ピクチャの標識は、２つの参照リストに順番に配置される。標識は、参照インデックスで示され、０〜Ｎ、例えば（０、１、…、Ｎ）の番号が付けられる。主に第１のリストＬｉｓｔ０（Ｌ０）は、過去の参照ピクチャ、すなわち時間的に現在のピクチャに先行する参照ピクチャを管理し、一般に第２のリストＬｉｓｔ１（Ｌ１）は、未来の参照ピクチャ、すなわち時間的に現在のピクチャに後続する参照ピクチャを管理する。低遅延映像符号化の場合、Ｌ１は過去の参照ピクチャを更に管理する。各リストは、最大１５個の参照ピクチャ、すなわちＮ＝１４）のインデックスを保持できる。
【０００５】
また、ＡＶＣにおいて、参照ピクチャリストのうちの一方（例えば、単一方向予測のため）、あるいは双方の参照ピクチャリスト（例えば、双方向予測のため）の選択を指定する標識又は参照モードインデックスは、マクロブロック（ＭＢ）モード／サブＭＢモードでパーティション構造と共に符号化され、それぞれのリストにおいて選択された参照ピクチャを指定する標識又は参照ピクチャインデックスは、独立した構文要素として符号化される。「パーティション構造」は、例えば１６ｘ１６のＭＢの１６ｘ１６、１６ｘ８又は８ｘ１６等のパーティションを示す。例えば１６ｘ１６のパーティションは、一般に、単一方向予測が使用される場合に１つの動きベクトル（ＭＶ）及び１つの参照インデックスと関連付けられ、双方向予測が使用される場合に２つのＭＶ及び２つの参照インデックスと関連付けられる。ＭＶは、水平成分ＭＶｘ及び垂直成分ＭＶｙを有し、現在のパーティションの画素が対応する参照ピクチャから生成される方法を記述する。例えば、Ｉｐｒｅｄ（ｘ，ｙ）＝Ｉｒｅｆ（ｘ−ＭＶｘ，ｙ−ＭＶｙ）と記述される。
【０００６】
ピクチャ又はパーティションと関連付けられた参照ピクチャの数は、同一のパーティションと関連付けられた参照モード、すなわちそれが単一方向予測又は双方向予測であるか等に依存する。復号器において参照情報を復号化する場合、ピクチャ又はパーティションと関連付けられた参照モードインデックス及び１つ以上の参照ピクチャインデックスの双方は、復号器が適切にピクチャ又はパーティションを復号化できるように正確に復号化されなければならない。参照モードインデックス及び１つ以上の参照ピクチャインデックスのうちのいずれかが適切に復号化されなければ、結果として参照情報が誤って解釈される可能性がある。
【０００７】
上述したＡＶＣの方法等の参照情報を符号化する現在の方法は、各ブロックと関連付けられた参照情報を搬送するために相対的に多数のビットを必要とする。これは、符号化効率の観点から非効率的であると認識される。
【発明の概要】
【発明が解決しようとする課題】
【０００８】
参照情報、すなわち現在のフレームを予測するために使用された１つ以上の参照ピクチャを識別する情報の符号化効率の向上を可能にすることが望ましい。本発明の目的は、参照情報の符号化効率の向上を可能にすることである。また、本発明の目的は、参照情報の改善された符号化を可能にする方法及び装置を提供することである。これらの目的は、添付の独立請求項に記載の方法及び装置により達成される。オプションの実施形態は従属請求項により規定される。以下に説明する予測、符号化及び復号化は、同一のエンティティ又はノード内、あるいは種々のエンティティ又はノードにおいて実行される。
【課題を解決するための手段】
【０００９】
第１の態様によれば、映像復号化エンティティにおける方法が提供される。この方法は、符号化ブロックＢeと関連付けられた単一の構文要素を取得するステップを備える。この方法は、取得した構文要素に基づいて参照モード及び１つ以上の参照ピクチャを識別するステップと、識別された参照モード及び１つ以上の参照ピクチャに基づいてブロックＢeを復号化するステップとを更に有し、画素の復号化ブロックＢを提供する。
【００１０】
第２の態様によれば、映像復号化エンティティにおける装置が提供される。この装置は、符号化ブロックＢeと関連付けられた単一の構文要素を取得するように構成される機能ユニットを備える。この装置は、取得した構文要素に基づいて参照モード及び１つ以上の参照ピクチャを識別するように構成される機能ユニットを更に備える。この装置は、識別された参照モード及び１つ以上の参照ピクチャに基づいてブロックＢeを復号化することにより、画素の復号化ブロックＢを提供するように構成される機能ユニットを更に備える。
【００１１】
第３の態様によれば、映像符号化エンティティにおける方法が提供される。この方法は、参照モード及び１つ以上の参照ピクチャを使用して画素のブロックＢを符号化するステップを有し、符号化ブロックＢeを提供する。この方法は、参照モード及び１つ以上の参照ピクチャを識別する単一の構文要素(single syntax element)を導出するステップと、単一の構文要素をブロックＢeの復号器に提供するステップとを更に備える。
【００１２】
第４の態様によれば、映像符号化エンティティにおける装置が提供される。この装置は、参照モード及び１つ以上の参照ピクチャを使用して画素のブロックＢを符号化することにより、符号化ブロックＢeを提供するように構成される機能ユニットを備える。この装置は、参照モード及び１つ以上の参照ピクチャを識別する単一の構文要素を導出するように構成される機能ユニットを更に備える。この装置は、単一の構文要素をブロックＢeの復号器に提供するように構成される機能ユニットを更に備える。
【００１３】
上述の方法及び装置は、符号化効率を向上するために使用される。符号化効率は、現在のフレームの予測に使用された１つ以上の参照ピクチャを識別するためにより少ないビットを使用することで向上する。上述の方法及び装置により、誤り耐性の向上が更に可能になる。また、単一の構文要素を形成するように参照情報をまとめることにより、参照インデックス番号を容易に操作できるようになる。また、上述したような構文要素を使用することにより、参照インデックスと参照モードとのいくつかの組合せを効率的に符号化できるようにすることで他の組合せより確率の高いそれらの組合せを利用できるようになる。例えば、より短いコードワードは、参照インデックスと参照モードとのより確率の高い組合せに割り当てられる。
【００１４】
上述の方法及び装置は、種々の実施形態において実現される。いくつかの実施形態において、参照モード及び１つ以上の参照ピクチャの識別は、構文要素と参照モード及び１つ以上の特定の参照ピクチャとの事前定義されたマッピングに基づく。いくつかの実施形態において、単一の構文要素は、１つ以上のエンティティを含む第１の事前定義された参照リストにおけるエントリを表す。エントリは、複数の参照ピクチャ又は単一の参照ピクチャを識別し、参照モードを更に識別する。
【００１５】
単一の構文要素は、それぞれ、単一の参照ピクチャを識別する１つ以上のエントリを含む第２の事前定義された参照リストにおける参照モード及びエントリを更に表す。
【００１６】
リストにおけるエントリは、リストインデックスにより識別される。また、取得した構文要素を表すビット数は、構文要素の特定の値の確率に関連する。
【００１７】
いくつかの実施形態において、参照情報は、Ｂe（又はＢ）の隣接ブロックと関連付けられた単一の構文要素に基づいてＢe（又は符号化エンティティにおいてはＢ）に対して予測される。また、いくつかの実施形態において、マルチ予測と関連付けられたブロックのサブ領域が識別され、そのサブ領域に対して、マルチ予測参照ブロックのそれぞれの対応する領域が相対的に低い相関性を有し、マルチ予測ではなく別の予測が識別されたサブ領域に対して使用される。
【００１８】
主に方法の観点から上述の実施形態を説明した。しかし、上述の説明は、装置の実施形態を含むことを更に意図し、上述の機能の性能を可能にするように構成される。上述の例示的な実施形態の種々の特徴は、必要性、要求又は好みに従って種々の方法で組み合わされてもよい。
【００１９】
更に別の態様によれば、１つ以上の処理ユニットにおいて実行された時に上述の方法のうちの１つに係る対応する手順を上述の装置のうちのいずれかに実行させるコンピュータ可読コード手段を備えるコンピュータプログラムが提供される。
【００２０】
更に別の態様によれば、上述のコンピュータプログラムを含むコンピュータプログラム製品が提供される。
【００２１】
次に、実施形態の例を使用し、添付の図面を参照して本発明を更に詳細に説明する。
【図面の簡単な説明】
【００２２】
【図１】図１は、従来技術に係る参照情報表現から一実施形態の例に係る参照情報表現への変換を示す概略図である
【図２】図２は、実施形態の一例に従って、ＡＶＣ参照インデックス表現と参照インデックス表現との差分を示すテーブルである。
【図３】図３は、実施形態の一例に従って、参照情報標識の割り当てを示す概略図である
【図４】図４は、実施形態の一例に従って、映像復号化エンティティにおいて参照モード及び１つ以上の参照ピクチャに関連した合同符号化された情報を復号化する手順を示すフローチャートである。
【図５】図５は、実施形態の一例に従って、映像復号化エンティティにおいて参照モード及び１つ以上の参照ピクチャに関連した合同符号化された情報を復号化するように構成された装置を示すブロック図である。
【図６】図６は、実施形態の一例に従って、映像符号化エンティティにおいて参照モード及び１つ以上の参照ピクチャに関連した情報を合同符号化する手順を示すフローチャートである。
【図７】図７は、実施形態の一例に従って、映像符号化エンティティにおいて参照モード及び１つ以上の参照ピクチャに関連した情報を合同符号化するように構成された装置を示すブロック図である。
【図８】図８は、実施形態の一例に従って、映像符号化／復号化エンティティにおける装置を示す概略図である。
【図９】、
【図１０】図９及び図１０は、例示的な実施形態に従って、現在のブロックの隣接画素と関連付けられた参照モードと１つ以上の参照ピクチャとの種々の組合せの発生頻度を判定することを示す概略図である。
【図１１】図１１は、従来技術に従って、標識（コードワード）を種々のインデックス記号に割り当てることを示す概略図である。
【図１２】図１２は、例示する一実施形態に従って、標識（コードワード）を割り当てることを示す概略図である。
【図１３】図１３は、例示する一実施形態に従って、黙示的な情報に基づいて分割することを示す概略図である。
【発明を実施するための形態】
【００２３】
簡単に説明すると、参照情報、すなわち参照モード及び参照ピクチャを表し、搬送する新しい手順がインター予測符号化及び復号化に対して提供される。この手順を参照インデックス信号伝送、すなわち参照情報標識信号伝送（Reference information Indicator Signaling:ＲＩＳ）と呼ぶ。
【００２４】
本明細書内において、「ブロックＸの隣接ブロック」という用語は、ブロックＸに隣接するブロック、すなわちブロックＸに近接するか又はブロックＸの近傍に配置されるブロックを示すものとして使用される。また、本明細書内において、「ブロック」という用語は、画素の単位を示すものとして使用される。「参照ピクチャ」又は「参照ブロック」という用語は、以前に符号化／復号化されたピクチャ、ピクチャのブロック、ピクチャの領域(region)又はピクチャのエリアを示すものとして使用される。ここで、ピクチャ、ブロック、領域等は、予測のために参照として使用される。
【００２５】
ＲＩＳを使用する場合、例えばＡＶＣ等のようにパーティション構造の標識と密接に関連する参照モードの標識を符号化し且つ参照ピクチャの標識を別個に符号化するのではなく、符号化ブロックと関連付けられた参照モードの標識及び参照ピクチャの標識は、「１つの場所において共にまとめられ」、すなわち合同符号化される。参照モード及び参照ピクチャ、すなわち参照情報の標識の合同符号化の結果、単一の構文要素又は標識は、満足のいく方法で符号化ブロックを復号化するために、必要な参照モード及び参照ピクチャに関する全ての情報を表す。すなわち、この単一の構文要素が符号化ブロックに対して与えられると、復号器は、ブロックを復号化するために必要な参照ピクチャを識別できるはずである。「構文要素(syntax element)」は、「構文単位(syntax unit)」、「合同指示単位(joint indication unit)」又は「合同識別単位(joint identification unit)」等でも示される。
【００２６】
ＲＩＳを記述する１つの方法は、例えば２つの独立したリストを使用する参照情報のＡＶＣ表現等の従来の表現からＲＩＳに従う参照情報の例示的な表現への「変換」、すなわちマッピングを記述することである。図１に示されるように、そのようなＲＩＳ表現への変換は、基本的に３つのステップで実行される。
【００２７】
第１のステップ１０２は、複数のインデックスリストから単一の参照インデックスリストを形成することである。例えば、ＡＶＣのように２つの参照インデックスリストを管理するのではなく、全ての参照ピクチャインデックスは、ＡＶＣの２つのリストの代わりとして又はそれを補完するものとして、ある特定の順序で単一の合同リストに格納される。これを図１に示す。図中、ピクチャ参照インデックスリストＬ０及びＬ１がインタリーブされて新しいリストＬRISにマージ又は多重化される。また、第２のステップ１０４において、インデックス番号は、新しいリストＬRISにおいて連続した番号、すなわち０〜５に従うように再度割り当てられる。
【００２８】
ステップ１０４の後のリストＬRISにおけるインデックス番号又はエントリは、参照モード（逆方向又は順方向の単一方向予測）及び参照ピクチャの双方に関する情報を表す。ＬRISにおけるエントリに対するインデックスは、「ＲＩＳインデックス」又は「インデックスパラメータ」等で示される。この例においてステップ１０４の後のＬRISにおけるＲＩＳインデックス番号０〜５は、４つの過去のピクチャ（元々はＬ０＝（０、１、２、３）における）及び２つの未来のピクチャ（元々はＬ１＝（０、１）における）からの単一方向予測を表す。
【００２９】
また、双方向予測を示す１つ以上のリストエントリは、挿入又は追記等によりＬRISに追加される。従って、双方向予測を表すエントリを示すＲＩＳインデックスは、単一の参照ピクチャではなく、２つの参照ピクチャを指し示す。従って、ＲＩＳインデックスは、参照モードと１つ以上の参照ピクチャとの組合せを識別可能である。
【００３０】
その結果、最後のステップ１０６において、２つの参照ピクチャが予測のために使用される双方向予測モードに関連したエントリは、ＬRISに連続的に追記され、ＲＩＳインデックスにより示されるかあるいは表される。例えば、ＲＩＳインデックス番号７を有するエントリは、現在のピクチャが双方向予測参照としてピクチャ番号０及びピクチャ番号１を使用していることを信号伝送するかあるいは意味するように設定される。従って、この情報はＲＩＳインデックス７に固有である。インデックス番号８は、現在のピクチャが双方向予測参照としてピクチャ番号０及びピクチャ番号２を使用していることを意味するように設定される。同様に、リストＬRISは、例えば３方向予測を表すエントリにより更に拡張され、３つの参照ピクチャを識別する。
【００３１】
あるいは、最初に双方向予測モードに関連したエントリが追加、例えば挿入又は追記され、次にインデックス番号がそれに応じて再度割り当てられるように、ステップ１０４及びステップ１０６は逆の順序で実行されてもよい。上述したように、双方向予測モードに関連したエントリは、例えば単一方向予測に関連したエントリ間に更に挿入され、これはステップ１０４を補完するもの又はその代わりとして、挿入後にインデックス番号を再度割り当てることを必要とする。この例において、マッピングは、種々のエントリのインデックスが参照モード及び１つ以上の参照ピクチャを表す単一の参照リストで表される。尚、これはオプションの一例にすぎず、マッピングはいくつかのステップを含み、例示された種類の明示的なリスト又はレコードはマッピングを実行するために必要ない。
【００３２】
実施形態の一例に従って、ＡＶＣ参照インデックス表現とＲＩＳインデックス表現との差分の一例を図２のテーブル示す。この例においては、現在のピクチャを符号化するために使用可能な４つの参照ピクチャがあり、そのうちの２つの参照ピクチャが過去の参照ピクチャであり、２つの参照ピクチャが未来の参照ピクチャであると仮定する。このＲＩＳ表現の例において、すなわちインデックス０、１、３及び４は、それぞれの４つの参照ピクチャのうちの１つから単一方向予測を示すように設定される。インデックス２及び５は、４つの参照ピクチャのそれぞれの対から双方向予測を示すように設定される。尚、パーティションに関連した情報が例えば「ＩＮＴＥＲ＿１６ｘ１６＿Ｌ０」等の参照モードインデックスと共に符号化されるため、参照インデックスのＡＶＣ信号伝送(AVC-signaling)はこの情報を更に含む。しかし、これは図２に示されない。
【００３３】
図２のテーブルに示された例において、双方向予測を示すかあるいは表すＲＩＳインデックスのうちのいくつかは、「最近接する」単一方向予測ＲＩＳインデックスの直後に配置される。すなわち、単一方向予測を表すインデックスとインタリーブされる。このＲＩＳインデックス表現は、いわゆる７Ｂ階層のＧＯＰ（７Ｂ  ｈｉｅｒａｒｃｈｉｃａｌ  Ｇｒｏｕｐ  Ｏｆ  Ｐｉｃｔｕｒｅｓ）（ＢＧＯＰ）を示す図３に更に示される。図３において、いわゆる「現在のフレーム」、すなわち符号化されるフレームは、７Ｂ  ＧＯＰにおけるフレーム３である。図３に示されたＲＩＳインデックスは、図２のテーブルにおけるＲＩＳインデックス０〜７に対応する。別のＲＩＳ表現は、図１に示された例のように、ＲＩＳインデックス０〜３が単一方向予測を示すようにするものであり、後続のＲＩＳインデックスは双方向予測を示す。
【００３４】
ＲＩＳインデックス又はＲＩＳパラメータの意味を規定する方法は、本明細書内において与えられた例に限定されない。例えば数式は、例えば双方向予測ＲＩＳインデックスに対して２つの参照ピクチャインデックスの識別を返送し、単一方向ＲＩＳインデックスに対して１つの参照ピクチャインデックスを識別する２つの変数ｆ（ＲＩＳ＿ｉｎｄｅｘ，ｃｕｒｒｅｎｔ＿ｆｒａｍｅ＿ｎｕｍ）を含む関数等のＲＩＳインデックスの意味を解釈するように規定される。一例において、ｃｕｒｒｅｎｔ＿ｆｒａｍｅ＿ｎｕｍは、７ＢピクチャのＢＧＯＰ内部のフレーム番号に対応する。この場合、０は表示順序が最初のフレームであり、８はＢＧＯＰにおいて最後のフレームである。別の例において、ＲＩＳインデックスは、常に式を使用して割り当てられる。
順方向：ｒｅｆｉｄｘ０
範囲：［０〜Ｌ０＿ｌｅｎ−１］
逆方向：Ｌ０＿ｌｅｎ＋ｒｅｆｉｄｘ１
範囲：［Ｌ０＿ｌｅｎ〜Ｌ０＿ｌｅｎ＋Ｌ１＿ｌｅｎ−１］
Ｂｉ：（Ｌ０＿ｌｅｎ＋Ｌ１＿ｌｅｎ）＋ｒｅｆｉｄｘ０＊Ｌ１＿ｌｅｎ＋ｒｅｆｉｄｘ１
範囲：［Ｌ０＿ｌｅｎ＋Ｌ１＿ｌｅｎ〜Ｌ０＿ｌｅｎ＋Ｌ１＿ｌｅｎ＋Ｌ０＿ｌｅｎ＊Ｌ１＿ｌｅｎ−１］
ここで、ｒｅｆｉｄｘ０及びｒｅｆｉｄｘ１は、それぞれ、参照リストＬ０及びＬ１へのインデックスである。Ｌ０＿ｌｅｎ及びＬ１＿ｌｅｎは、それぞれ、リストＬ０及びＬ１の長さである。
【００３５】
あるいは、テーブルは、双方向予測の場合は２つの対応する単一方向インデックス及び単一の予測の場合は１つの単一方向インデックスとＲＩＳインデックスを一致させるために使用される。どの方法を選択するかは、ハードウェア／ソフトウェアの制約等に依存する。
【００３６】
しかし、構文要素を導出するために使用される方法に関係なく、符号器が適切な構文要素を導出及び提供でき、復号器が構文要素を適切に解釈することで当該符号化ブロック又は符号化フレームを復号化するために必要な関連情報を識別できるように、方法は符号器及び復号器の双方に対して既知であるべきである。
【００３７】
ＲＩＳインデックスは、フレームレベル、高いＭＢレベル、ＭＢレベル又はサブＭＢレベル等の種々のレベルの映像符号化に適用できる。
【００３８】
手順の例、図４、復号化
次に、図４を参照して、参照情報を搬送する手順の復号化部分の一実施形態を説明する。この手順は、映像復号器又は映像復号器に加えて更なる機能ユニットを備えるエンティティである映像復号化エンティティにおいて実行される。最初に、符号化ブロックＢeと関連付けられた単一の構文要素が動作４０２で取得される。単一の構文要素は、「ビットストリーム」におけるシンボル、すなわち映像シーケンス等の符号化表現等の単位又はビットストリームから復号化される単位である。構文要素は、例えばＲＩＳインデックス等の参照情報に対応する番号を表す１ビット以上である。通常、より一般的でないＲＩＳインデックスを表すために使用されるビット数と比較して少ないビットが相対的に一般的であるＲＩＳインデックスを表すために使用される。構文要素は、ビットストリームから復号化され、それが表すＲＩＳインデックス等の番号を取得する。例えば復号化は、ＣＡＢＡＣ（コンテキスト対応２値算術符号化）等のＶＬＣ（可変長符号化）又は算術符号化に従って実行される。
【００３９】
次に、動作４０４において、ブロックＢeを復号化する際に使用される参照モード及び１つ以上の参照ピクチャは、取得した構文要素に基づいて識別される。識別された参照モード及び１つ以上の参照ピクチャは、符号器においてブロックを符号化する際に使用されたモード及び参照ピクチャに対応する。識別は、構文要素が与えられたとすると、マッピングテーブル、参照リスト、あるいは他の事前定義された情報又は関数を使用して構文要素をデマッピング、解読(deciphering)又は「復号化」すること等を含む。マッピングテーブル、参照リスト、あるいは他の事前定義された情報又は関数を使用することにより、参照モード及び１つ以上の参照ピクチャが識別される。また、必要な参照モード及び１つ以上の参照ピクチャを識別した場合、従来の方法を使用して取得されると仮定される符号化ブロックＢeは、動作４０６で復号化される。
【００４０】
単一の構文要素は、各々が１つ以上の参照モード及び１つ以上の参照ピクチャを表すかあるいは識別する複数のエントリを含む参照リストにおけるエントリの標識又はインデックスであり、例えばＲＩＳインデックスで示される。あるいは、構文要素は、ルックアップテーブルにおいてエントリに対応するコードワードである。ルックアップテーブルは、ＡＶＣにおいて例えばＬ０及びＬ１等の１つ以上の参照リストの参照モード及び１つ以上のエントリ等にコードワードをリンクする。参照モードは、ブロックを復号化するために使用されるべき単一の参照リスト又は複数の参照リストを規定する。
【００４１】
装置の例、図５、復号化
以下において、図５を参照して、復号化の上述の手順を実行できるように構成された装置５００の一例を説明する。この装置は、映像復号器か、あるいは映像復号器に加えて例えばコンピュータ、移動端末又は映像専用デバイス等の更なる機能ユニットを備えるエンティティである映像復号化エンティティ５０１内に配置されるものとして示される。この装置５００は、あらゆる種類の有線通信又は無線通信のための従来の手段を備えると考えられる通信ユニット５０２を介して他のエンティティと通信するように更に示される。復号化される符号化映像は、取得ユニット５０４により通信ユニット５０２又はメモリから取得されると仮定され、符号化ブロックは、復号化ユニット５０８において復号化されると仮定され、この場合、機能ユニット５０８は従来の復号化方法を使用する。
【００４２】
取得ユニット５０４は、符号化ブロックＢeと関連付けられた単一の構文要素を取得するように構成される。装置５００は、取得した構文要素に基づいて、ブロックＢeを復号化する際に使用される参照モード及び１つ以上の参照ピクチャを識別するように構成される識別ユニット５０６を更に備える。上述したように、装置５００は、判定された参照モード及び参照ピクチャに基づいてブロックＢeを復号化するように構成されることにより、復号化された画素ブロックＢを提供する復号化ユニット５０８を更に備える。
【００４３】
この装置において、構文要素は、各々が１つ以上の参照モード及び１つ以上の参照ピクチャを表すかあるいは示す複数のエントリを含む参照リストにおけるエントリの標識又はインデックスである。あるいは、装置は、構文要素がルックアップテーブルにおいてエントリに対応するコードワードである別の例に適応する。ルックアップテーブルは、ＡＶＣにおいて例えばＬ０及びＬ１等の１つ以上の参照リストの参照モード及び１つ以上のエントリ等にコードワードをリンクする。
【００４４】
映像復号化エンティティ５０１は、復号化映像を表示するように構成された表示ユニット５１０等を更に備えても良い。
【００４５】
手順の例、図６、符号化
次に、図６を参照して、参照情報を搬送する手順の符号化部分の一実施形態を説明する。この手順は、映像符号器又は映像符号器に加えて更なる機能ユニットを備えるエンティティである映像符号化エンティティにおいて実行される。最初に、画素のブロックＢは、参照モード及び１つ以上の参照ピクチャを使用して動作６０２で符号化され、符号化ブロックＢeを提供する。
【００４６】
次に、単一の構文要素が、符号化のために使用された参照モード及び１つ以上の参照ピクチャに基づいて動作６０にてで導出される。それにより、構文要素は、ブロックＢを符号化するために使用された参照モード及び１つ以上の参照ピクチャを直接又は間接的に識別する。例えば構文要素は、事前定義された参照リストにおいて使用された参照モード及び参照ピクチャに対応するリストエントリを配置し、次に構文要素を構成するように前記エントリのインデックス番号を設定することで導出される。あるいは、事前定義されたマッピングテーブル又はルックアップテーブルは、参照モード及び参照ピクチャの種々の組合せと種々の構文要素との間のマッピングを提供する。更に構文要素は、参照モード標識及び１つ以上の参照ピクチャ標識を返送する事前定義された関数への引数である。例えば、そのような「引数」構文要素は、参照モード標識及び１つ以上の参照ピクチャ標識を引数として解釈し、単一の構文要素を返送する事前定義された「逆関数」を使用して導出される。
【００４７】
また、導出された構文要素は、動作６０６において、ブロックＢeと関連付けてブロックＢeの復号器に提供される。従って、参照情報、すなわちブロックＢを符号化する際に使用され且つ符号化ブロックＢeを復号化する際にも使用される参照モード及び１つ以上の参照ピクチャに関する情報は、簡潔に且つ誤り耐性を有して復号器に搬送される。例えば構文要素は、無線チャネルを介して復号器を備えるエンティティ又はノードに送信されることで提供される。また、例えば構文要素は、関連付けられた符号化映像と共にメモリに格納され、別の時点で復号化エンティティによりアクセスされる。
【００４８】
装置の例、図７、符号化
以下において、図７を参照して、符号化に関連した上述の手順を実行できるように構成された装置７００の一例を説明する。この装置は、映像符号器か、あるいは映像符号器に加えて例えばコンピュータ、移動端末又は映像専用デバイス等の更なる機能ユニットを備えるエンティティである映像符号化エンティティ７０１内に配置されるものとして示される。この装置７００は、あらゆる種類の有線通信又は無線通信のための従来の手段を備えると考えられる通信ユニット（不図示）を介して他のエンティティと通信する。符号化される非符号化映像は、通信ユニット又はメモリ等から取得されると仮定される。
【００４９】
装置７００は、参照モード及び１つ以上の参照ピクチャを使用して画素のブロックＢを符号化するように構成されることにより、符号化ブロックＢeを提供する符号化ユニット７０２を備える。装置７００は、ブロックＢを符号化する際に使用された参照モード及び１つ以上の参照ピクチャを直接又は間接的に識別する単一の構文要素を導出するように構成される導出ユニット７０４を更に備える。インデックス要素は、種々の方法で導出され、上述したように例えばインデックス又はコードワード等の標識である。
【００５０】
装置７００は、場合によっては通信ユニットを介して単一の構文要素をブロックＢeの復号器に提供するように構成される提供ユニット７０６を更に備える。例えば単一の構文要素は、無線チャネルを介して復号器を備えるエンティティ又はノードに送出されることで提供されてもよい。
【００５１】
装置の例、図８
図８は、映像復号化エンティティにおいて装置８００の一実施形態を概略的に示す。更に図８は、図５に示された映像復号化エンティティにおいて復号化する装置の一実施形態を開示する別の方法である。ここで、装置８００は、ＤＳＰ（デジタル信号プロセッサ）等を含む処理ユニット８０６を備える。処理ユニット８０６は、本明細書において説明した手順の種々の動作を実行する単一のユニット又は複数のユニットである。装置８００は、他のエンティティから信号を入力する入力ユニット８０２及び他のエンティティに信号を提供する出力ユニット８０４を更に備える。入力ユニット８０２及び出力ユニット８０４は、統合されたエンティティとして構成される。
【００５２】
更に装置８００は、ＥＥＰＲＯＭ（電気的消去可能プログラマブル読み出し専用メモリ）、フラッシュメモリ及びハードドライブ等の不揮発性メモリの形態の少なくとも１つのコンピュータプログラム製品８０８を備える。コンピュータプログラム製品８０８は、装置８００の処理ユニット８０６において実行される場合に図４に関連して上述した手順の動作を装置及び／又は映像復号化エンティティに実行させるコード手段を備えるコンピュータプログラム８１０を含む。
【００５３】
コンピュータプログラム８１０は、コンピュータプログラムモジュールにおいて構成されたコンピュータプログラムコードとして構成される。従って、説明した実施形態の例において、装置８００のコンピュータプログラム８１０のコード手段は、例えばデータ送信エンティティ又はメモリ等の記憶装置から発生するビットストリームから符号化映像ユニット／ブロックを復号化することにより、符号化映像ユニット／ブロックと関連付けられた単一の構文要素を取得する取得モジュール８１０ａを備える。コンピュータプログラムは、取得した構文要素に基づいて参照モード及び１つ以上の参照ピクチャを識別する識別モジュール８１０ｂを更に備える。コンピュータプログラム８１０は、符号化ブロックを復号化する復号化モジュール８１０ｃを更に備える。
【００５４】
モジュール８１０ａ〜８１０ｃは、図５に示された映像復号化エンティティにおける装置をエミュレートするために、実質的に図４に示されたフローの動作を実行する。換言すると、種々のモジュール８１０ａ〜８１０ｃは、処理ユニット８０６において実行される場合に図５のユニット５０２〜５０６に対応する。
【００５５】
同様に、図７に示された装置に対応する代替例も可能である。
【００５６】
図８に関連して上述した実施形態におけるコード手段は、処理ユニットにおいて実行される場合に上述の図に関連して上述した動作を装置及び／又は映像処理／提示エンティティに実行させるコンピュータプログラムモジュールとして実現されるが、コード手段のうちの少なくとも１つは、別の実施形態においてハードウェア回路として少なくとも部分的に実現されてもよい。
【００５７】
プロセッサは、単一のＣＰＵ（中央処理装置）であるが、２つ以上の処理ユニットを更に備えてよい。例えばプロセッサは、汎用マイクロプロセッサと、命令セットプロセッサ及び／又は関連したチップセット、並びに／あるいはＡＳＩＣ（特定用途向け集積回路）等の専用マイクロプロセッサとを備える。プロセッサは、キャッシュするためにボードメモリを更に備える。コンピュータプログラムは、プロセッサに接続されたコンピュータプログラム製品により保持される。コンピュータプログラム製品は、コンピュータプログラムを格納するコンピュータ可読媒体を備える。例えば、コンピュータプログラム製品は、フラッシュメモリ、ＲＡＭ（ランダムアクセスメモリ）ＲＯＭ（読み出し専用メモリ）又はＥＥＰＲＯＭであってもよく、上述のコンピュータプログラムモジュールは、別の実施形態において、データ受信ユニット内のメモリの形態の種々のコンピュータプログラム製品に分散されてもよい。
【００５８】
また、既存の映像符号化技術に関する１つの問題は、満足のいく参照モード／参照ピクチャ予測方式が規定又は適用されないことであることが理解される。以下において、そのような予測方式を説明する。例えば、シーンカット／フェージング／フラッシュシナリオにおいて、例えば参照モードと参照ピクチャとの同一の組合せが隣接又は近接するＭＢの予測のために使用されることが非常に一般的であることが理解される。また、本発明の符号化方法は、隣接ＭＢに対して使用された参照モード／参照ピクチャとの相関性を利用しないことが理解される。以前の解決方法において、ＭＢ参照情報を識別する別個の成分は、個々に符号化され、映像復号器に搬送される。
【００５９】
ＭＢレベル上の例示する予測方式を以下の通り説明する。例示する予測方式は、符号器及び復号器の双方に適用され、あらゆるブロックサイズに適用できる。
【００６０】
現在のＭＢの符号化／復号化と関連して、符号器／復号器は、ＭＢの「コンテキスト」とも呼ばれる周囲の符号化ＭＢの参照標識を解析するように構成される。これらの周囲のブロックは、現在のブロックの「隣接ブロック」と示される。符号器／復号器は、候補標識又は候補インデックスの集合のうちの各々が隣接ブロックに現れる回数をカウントし、例えば事前定義された方式に従って、最多カウントの標識を予測値又は推定値として選択する。選択された参照標識は、インター予測に関連しているはずである。選択された参照標識は、現在のＭＢを符号化／復号化する際に使用するのに適した参照ピクチャ（及び参照モード）の予測値又は推定値に設定される。その予測値は、現在のＭＢ自体の解析ではなく、ＭＢの符号化／復号化隣接ブロックに関連する情報の解析から導出される。符号器において、この例では現在のＭＢを符号化する際に使用される参照ピクチャ（及び参照モード）を選択するために予測値が使用されないため、ＭＢは、このような予測値の選択中に符号化されてもされなくてもよい。復号器において、現在のＭＢは予測中に符号化される。
【００６１】
例示する隣接ブロック参照標識の解析及び推定値の選択を図９に示す。図９に示される例において、現在のブロックの４つの隣接ブロックを考慮する。しかし、方法は、考慮されるブロックの他の集合又は部分集合にも適用可能である。例えば、隣接ブロックの集合の一例は、現在のブロックに対して左ブロック、左上ブロック及び上ブロックから構成される。別の例の集合は、左ブロック及び上ブロックのみを含む。図９において、現在のブロックの隣接ブロックは、それぞれの参照標識又は参照インデックス１、１、２及び０と関連付けられる。従って、参照標識「１」は、隣接ブロックの間に２回出現することにより、最多カウント、すなわち最も高い発生頻度を有する。従って、参照標識「１」は、現在のブロックを符号化する際又は復号器において予測が行われる際に使用されたかあるいは使用される参照ピクチャ（及びモード）の予測値又は推定値、現在のブロックを復号化する際に使用される参照ピクチャ（及びモード）の予測値を表すように選択される。
【００６２】
隣接ブロックの間である特定の参照標識の発生回数をカウントする場合、２つ以上の候補は、同一の最多カウント数を有する可能性がある。これを図１０に示す。図中、参照標識「１」及び「２」の双方が４回現れる。例えばこれは、事前定義された順序付け方式に従って参照標識を選択することで解決される。例えば、参照標識が図９及び図１０に示されるように０〜２の数で表される場合、最も大きい数又は最も小さい数で表された参照標識が予測値として選択される。
【００６３】
予測画素値のブロックと、元の画素値のブロック、すなわち符号化される前の元のブロックとの間の差分は、例えばＤＣＴ（離散コサイン変換）である変換符号化により符号化される。変換の出力は、その後量子化される変換係数を含む。ブロックと関連付けられた変換係数の数は、所定の量子化に対して、予測ブロックと元のブロックとの一致の程度を反映する。相対的に少ない変換係数は、適切に一致していることを示す。従って、少ない変換係数を有するブロックと関連付けられた参照標識は、より信頼できると考えられる。
【００６４】
従って、発生のカウントは、例えば参照ブロックと関連付けられた符号化変換係数に従って更に重み付けされる。上述したように、少ない符号化変換係数を含む隣接ブロックと関連付けられた参照インデックスは、多くの変換係数を含む隣接ブロックと関連付けられた参照インデックスより信頼できる予測値であると考えられるため、参照インデックス予測のためにより大きい重みを割り当てられる。別の例において、符号化係数を含むブロックは、符号化係数を含まないブロック、すなわちスキップされるブロックより大きな重みを有してもよい。別の例において、例えば大きなＭＢである大きなＭＶパーティションを有する隣接ブロックと関連付けられた参照インデックスは、より小さなＭＶパーティションを含む隣接ブロックより信頼できると考えられるため、参照インデックス予測のためにより大きい重みが割り当てられる。２の倍数の重みを使用することは、複雑さの観点で有益である。重み付きカウントは、ルックアップテーブルを使用することによっても実現される。
【００６５】
ある参照標識は、他の参照標識より互いにより強く関連する。例えば、合同符号化された参照情報を使用する場合、参照フレームｒｅｆ０及びｒｅｆ１を使用する双方向予測を表す参照標識は、例えば参照フレームｒｅｆ２を使用する単一方向予測を表す参照標識よりｒｅｆ０及びｒｅｆ１のうちのどちらか一方を使用する単一方向予測を表す参照標識とより強く関連する。従って、双方向予測標識をカウントする場合、同一の参照フレームを使用する単一方向予測を表す対応する標識は、ある小さいカウント値、すなわち「完全な一致」に対するカウント値より小さいカウント値で更新される。同様に、ｒｅｆ０及びｒｅｆ１等を使用する単一方向予測を表す参照標識は、他の双方向予測参照標識よりｒｅｆ０及びｒｅｆ１を使用する双方向予測を表す対応する参照標識とより強く関連する。従って、単一方向参照標識をカウントする場合、当該参照フレームが使用されるマルチ予測に対応する参照標識のカウントは、ある小さい値で更に更新される。
【００６６】
図１０は、現在のブロックの隣接画素と関連付けられた参照標識をカウントすることにより、現在のブロックに対するある特定の参照標識の発生頻度を判定する別の例示的な実施形態を示す。ここで、現在のブロックは大きなＭＢであり、隣接ブロックは、現在のブロックよりサイズが小さい。当該ブロックのブロックサイズに関係なくコンテキストで同数の隣接ブロックを有することが興味深い。
【００６７】
参照標識予測又は参照インデックス予測を導入する１つの利点は、ＶＬＣテーブルをより効率的にマッピングできるようになることである。予測及びＶＬＣテーブルを共に考慮することでより高い圧縮が実現可能である。例えば、予測を使用しない（０、１、２）等の３つのインデックスの符号化を仮定する場合、図１１に示されたような固定のＶＬＣテーブルが割り当てられる。インデックス記号「２」が最も頻繁に発生すると仮定すると、「２」が２ビット、すなわち「１１」を含むコードワードを使用して符号化され、あまり頻繁でない「０」が１ビット、すなわち「０」を使用して符号化されるため、図１１に示されたテーブルは次善の設計を有する。
【００６８】
予測が追加される場合、より適切なＶＬＣテーブル設計が可能になる。そのような改良されたＶＬＣテーブル設計の一例を図１２に示す。そのような改良されたＶＬＣ設計において、参照標識又はインデックス記号を符号化するため使用されるビットは、予測、すなわち現在のブロックのコンテキストに基づいて適応される。図１２に示されたテーブルにおいて、現在のブロックのコンテキストにおいて最も頻繁に発生する参照標識は、この例においては「０」である単一ビットのコードワードを使用して符号化される。２ビットから成るコードワード「１０」及び「１１」は、それぞれ、２番目に高い発生頻度を有する参照標識及び３番目に高い発生頻度を有する参照標識等を識別するように規定される。参照標識の符号器及び復号器の双方は、予測の実行方法及びコードワードの解釈の方法を認識し且つそれらに合意すべきである。
【００６９】
上述の例は単なる一例にすぎず、可能な設計はこれに限定されない。例えばより多くの参照標識又はインデックス記号が含まれる場合、種々のＶＬＣテーブルを参照標識又はインデックス記号に割り当てる種々の方法がある。手法の一例は、頻繁に発生する参照標識が小さいインデックス番号を割り当てられ、頻繁に発生しない参照標識が大きいインデックス番号を割り当てられ、並びに大きいインデックス番号より小さいインデックス番号の方が符号化するために少ないビットを要するように、インデックスの発生確率によりインデックス付けを変更することである。コンテキスト対応２値算術符号化（ＣＡＢＡＣ）は、参照標識又は参照インデックスの確率に従ってそれら参照標識又は参照インデックスを表す変動するビットコストを実現するために使用される。上述したように、種々のコンテキストのいくつかの例は、隣接ブロックと関連付けられた参照標識、参照標識のカウント数又は参照標識の重み付きカウント数等である。
【００７０】
例えばＨ．２６４を使用する最新技術において、２つのＭＶ／参照ピクチャ、参照ブロック又は参照エリアを使用して双方向予測ブロックを生成することは、２つの参照エリアを平均すること含む。ＭＶが参照エリアにおいてサブ画素の位置を指し示す場合、サブ画素の位置の画素値は、平均する前に最初に生成される必要がある。サブ画素の位置の画素値の生成を「空間フィルタリング(spatial filtering)」と呼ぶ。すなわち、生成処理は各参照エリアの空間フィルタリングを含む。従って、２つの参照エリアを使用して双方向予測ブロックを生成する最新技術の処理は、第１のエリアを空間フィルタリングすること、第２のエリアを空間フィルタリングすること及び最後にフィルタリングされたエリアを平均することを含む。空間フィルタリングは、相対的に複雑な計算を必要とする。
【００７１】
この計算の複雑さは軽減されることが理解される。これを以下に説明する。複雑さを軽減するために、ブロックは、例えば２つの参照ブロックを共に追加する（空間フィルタリングを実行せずに）ことにより、最初に整数動きに基づいて構成される。この追加は、計算の複雑さの観点から相対的に安価な演算である。その後、結果として得られるブロックは、１／２画素又は１／４画素解像度等を得るために、補間等のフィルタリングがされる。サブ画素は、ＭＶのうちの１つに従って又は別個に符号化／復号化された追加情報等に基づいて調整される。
【００７２】
ブロックが２つ以上のＭＶ及び参照インデックスと関連付けられる場合、これは本明細書において「マルチ予測」と呼ばれ、マルチ予測のそれぞれの単一方向予測成分が判定される。単一方向予測は、例えばイントラ予測であるため「単一予測」と呼ばれる。分割情報は、これらの単一方向予測間の絶対差分に基づいて導出されることが理解される。分割情報は、細粒度分割情報を搬送する際のオーバヘッドを回避するために、符号器及び復号器の双方において導出される。
【００７３】
単一方向予測間の絶対差分が相対的に大きい領域において、単一の単一方向予測又は特定の双方向予測が使用される。単一の単一方向予測は、双方向予測（又はマルチ予測）の単一方向予測成分のうちの１つに対してビットストリームにおいて示された参照インデックス及びＭＶに従って実行される。単一方向予測間の絶対差分が相対的に小さいブロックの他の領域において、双方向予測は、ブロックに対してビットストリームにおいて示されるように使用される。領域に対して単一の双方向予測／特定の双方向予測を使用するか、あるいはビットストリームにおいて示された双方向予測を使用するかの判断は、例えば領域と関連付けられた単一方向予測間の絶対差分と事前定義された閾値との比較に基づく。
【００７４】
ここで、２つのＭＶ及び２つの参照エリアと関連付けられた双方向予測ブロックを仮定する。従来、この段階において、このブロックは、更に分割されず、そのまま符号化される。しかし、絶対差分又は「差分マップ」を解析することで取得された「黙示的な(implicit)」情報は、符号器及び復号器の双方においてブロックを更なるパーティションに分割するために使用されることが理解される。
【００７５】
２つの参照エリア又は予測の絶対差分が算出される場合、差分マップにおいてより大きい絶対値を含むある領域及びより小さい絶対値を含むある領域がある。領域における小さい値の絶対差分は、通常、同一のオブジェクトが双方の参照エリアのこの領域に描かれることを表す。種々のオブジェクトがそれぞれの参照エリアの領域に描かれる場合、絶対差分は大きくなる。同一のオブジェクトがそれぞれの参照エリアの対応する領域に描かれる場合、領域を平均するのが好適であり適切である。対応する領域が種々のオブジェクトを描く場合、それらを平均することは意味がない。
【００７６】
例えば、閾値が規定される。ここで、閾値より大きい差分値は「異なるオブジェクトの領域」を表し、閾値より小さい差分値は「同一のオブジェクトの領域」を表す。ブロックは、事前定義された方式でこれらの領域に従って分割される。上述したように、分割は、黙示的な情報に基づいて、すなわち分割を説明する明示的な信号伝送なしで実行される。この別の利点は、「正方形以外の分割」がサポートされることである。例えば、半球が１つのブロックに描かれる場合、ブロックは、球の境界の周囲で非常に正確に分割される。
【００７７】
符号器は、上述の分割手法が使用されるべきかを復号器に信号伝送する。分割手法が使用されるべきであると信号伝送される場合、符号器は、相対的に大きい絶対差分値を有する領域に対して、使用する単一方向予測又は使用する特定の双方向予測を必要に応じて信号伝送する。例えば、重み付き双方向予測（平均以外であり、場合によってはＤＣオフセットを含む）が使用される。特定の双方向予測を生成できるようにローカルパラメータを判定するために何らかの追加情報を符号化／復号化することが必要な場合もある。取得した分割情報は、分割情報を予測するために更に使用され、符号器は、復号器により復号化され且つ使用される予測パーティションと比較して変更を符号化する。参照エリア間の差分に基づいて分割情報を導出することは、分割方法の大まかな指示を与える。予測された分割情報の改良点を送出することで更なる改良も可能である
分割情報を取得する一例は、ブロックを４つの同等のサイズのサブブロックに分割することである。例えばサブブロックの正規化ＳＡＤ（差分絶対値和（算出された画素数で除算された））が４倍大きい「親」ブロックの正規化ＳＡＤ以上である場合、最大の正規化ＳＡＤを有するサブブロックは、４つの同等のサイズの領域に繰り返し分割される。正規化ＳＡＤは、画素毎のＳＡＤ又は特定のサブブロックサイズ毎のＳＡＤを示す。ＳＡＤではなく、画素差分を示す他の計測値が代わりに使用可能である。一例は、エッジ／線等の強力な局所画像構造に対してより大きな重みを有する計測値である。その後、更に分割されない残りのサブブロックは、双方向予測の何らかの変形例等を使用すべきパーティションに設定される。
【００７８】
図１３は、分割方法の例示する一実施形態を示す。左側のブロック１３０２：ａは、双方向予測される。ＳＡＤは、ブロック（ここで１３０２：ｂで示された）上で算出され、大きいＳＡＤのエリアは、識別及び選択され、それに応じて処理される。この例において、大きいＳＡＤのエリアは、逆方向ＭＶのみを使用する単一方向予測に変更することで処理される。従って、元のブロックは２つのパーティションに分割される。２つのパーティションのうちの一方は、ビットストリームにおいて示された双方向予測を使用し、他方（円を含むものとして示された）は、単一方向予測（双方向予測の成分のうちの１つ）を使用する。レート歪み最適化（ＲＤＯ）は、最適な単一方向予測（双方向予測の成分）を選択するために使用される。
【００７９】
分割情報の取得方法の別の例は、例えば双方向予測ブロックを同等のサイズの複数のサブブロックに分割し、当該サブブロックサイズの最大ＳＡＤを判定し、例えばある特定の間隔内から双方向予測又は単一方向予測の何らかの変更バージョンを使用する領域の部分であるこの最大値に「近接」するＳＡＤを有するサブブロックを選択することである。
【００８０】
分割することに加えて、例えばこの手法は、双方向予測モードが使用される場合に上述したＲＩＳインデックス又は最新技術の参照インデックスを判定するために使用される。例えば、領域に対する平滑差分マップは、領域が場合によっては「双方向ＲＩＳインデックス」と関連付けられることを示唆し、そのように解釈される。手法は、別の予測としてあるいは上述した参照標識インデックス予測と組み合わせて更に使用される。選択は、双方向予測の可能な候補間のＳＡＤに基づいて符号器及び復号器の双方において行われ、最小ＳＡＤを含む組合せを選択する。
【００８１】
尚、分割手法に基づく上述のマルチ予測を使用する場合、ブロックに基づく分割を導出するのではなく、他の種類の分割が符号器及び復号器の双方において導出される。これは、例えばエッジ検出及び／又はセグメンテーション等の非線形画像処理方法に従って、ブロックを２つ以上のパーティションに線形（例えば、水平方向、垂直方向又は対角線方向）分割すること又は非線形分割することを含む。例えば、マルチ予測差分信号は、エッジ検出又は領域成長等の画像セグメンテーション方法に従ってセグメンテーションされ、ブロックパーティションは、セグメンテーションされた差分信号に基づいて導出される。
【００８２】
サブパーティションの数は、画像セグメンテーション等の画像処理方法により導出されるか、あるいは符号器から復号器に信号伝送される。線形分割又は非線形分割の代わりとして、画素に基づく分割も適用可能である。１つの変形例は、使用される分割方法を符号器から復号器に信号伝送することであり、別の変形例は、分割方法が他の信号伝送手段を介して符号器と復号器との間で合意されることである。マルチ予測に基づく方法を使用する利点は、分割情報が符号器及び復号器において既に使用可能な情報に基づいて導出されることである。すなわち、分割情報が明示的に信号伝送される必要がないため、符号化のために使用されるビット数は減少する。
【００８３】
尚、マルチ予測に基づく分割によれば、双方向予測から双方向予測のために使用されたＭＶから導出された単一方向ＭＶによる単一方向予測に切り替えるのではなく、サブパーティションに対して更なるＭＶ及び／又は予測モード（単一方向インターピクチャ予測、双方向インターピクチャ予測又はイントラピクチャ予測）を信号伝送することも可能である。換言すると、ブロックに対するパーティションの数及び形状は、セグメンテーション方法等に基づいて明示的に信号伝送され且つ／あるいは黙示的な情報から導出される。また、ＭＶ及び／又は予測モードは、結果として得られるサブパーティションのうちのいくつか又は全てに対して信号伝送される。
【００８４】
例として提供された特定の実施形態を参照して上述したような手順を説明したが、一般に説明は、本発明の概念を例示することのみを意図し、添付の請求の範囲により規定される提案された方法及び装置の範囲を限定するものとして解釈されるべきではない。一般的な用語で説明したが、例えば方法及び装置は、例えばＧＳＭ（登録商標）／ＥＤＧＥ、Ｗ  ＣＤＭＡ又はＬＴＥ、あるいはＤＶＢ−Ｓ、ＤＶＢ−Ｔ又はＤＶＢ−Ｃ等の衛星、地上波又はケーブルを介した放送技術等の一般に使用可能な通信技術を使用する種々の通信システムに対してだけでなく、メモリに対する映像の格納／検索に対しても適用可能である。
【００８５】
対話ユニット又はモジュールの選択及びユニットの名称は、例示する目的のためにすぎず、上述の方法のうちのいずれかを実行するのに適した映像処理エンティティは、提案された処理動作を実行できるように複数の別の方法で構成されてもよいことが更に理解される。
【００８６】
尚、本明細書において説明したユニット又はモジュールは、独立した物理エンティティとして考えられる必要はなく、論理エンティティとして考えられる。
【００８７】
略語
ＡＶＣ  高度映像符号化
ＣＡＢＡＣ  コンテキスト対応２値算術符号化
ＧＯＰ  Ｇｒｏｕｐ  Ｏｆ  Ｐｉｃｔｕｒｅｓ
ＭＢ  マクロブロック
ＭＶ  動きベクトル
ＲＩＳ  参照インデックス信号伝送（Ｒｅｆｅｒｅｎｃｅ  Ｉｎｄｅｘ  Ｓｉｇｎａｌｉｎｇ）／参照情報標識信号伝送（Ｒｅｆｅｒｅｎｃｅ  Ｉｎｆｏｒｍａｔｉｏｎ  Ｉｎｄｉｃａｔｏｒ  Ｓｉｇｎａｌｉｎｇ）
ＳＡＤ  差分絶対値和
ＶＬＣ  可変長符号化
【図１】
2013514718.tif 000003
【図２】
2013514718.tif 000004
【図３】
2013514718.tif 000005
【図４】
2013514718.tif 000006
【図５】
2013514718.tif 000007
【図６】
2013514718.tif 000008
【図７】
2013514718.tif 000009
【図８】
2013514718.tif 000010
【図９】
2013514718.tif 000011
【図１０】
2013514718.tif 000012
【図１１】
2013514718.tif 000013
【図１２】
2013514718.tif 000014
【図１３】
2013514718.tif 000015
【手続補正書】
【提出日】平成23年8月31日(2011.8.31)
【手続補正１】
【補正対象書類名】特許請求の範囲
【補正対象項目名】全文
【補正方法】変更
【補正の内容】
【特許請求の範囲】
【請求項１】
映像復号化エンティティにおける方法であって、
符号化ブロックＢeと関連付けられた単一の構文要素を取得するステップ（４０２）と、
ここで、前記単一の構文要素は、事前定義された第１の参照リストにおけるエントリを表し、
前記第１の参照リストは、複数の参照ピクチャ、単一の参照ピクチャのうちの少なくとも１つを識別する１つ以上のエントリを含む；
前記取得した構文要素に基づいて参照モード及び１つ以上の参照ピクチャを識別するステップ（４０４）と、
前記識別された参照モード及び１つ以上の参照ピクチャに基づいて前記ブロックＢeを復号化（４０６）するステップとを有し、画素の復号化ブロックＢを提供することを特徴とする方法。
【請求項２】
参照モード及び１つ以上の参照ピクチャの前記識別は、前記取得した構文要素と前記ブロックＢeを復号化する際に使用される前記参照モード及び１つ以上の特定の参照ピクチャとの事前定義されたマッピングに基づくことを特徴とする請求項１に記載の方法。
【請求項３】
前記第１の参照リストにおける各エントリは、参照モードを更に識別することを特徴とする請求項１又は２に記載の方法。
【請求項４】
前記単一の構文要素は、事前定義された第２の参照リストにおける参照モード及びエントリを更に表すことを特徴とする請求項１乃至３のいずれか１項に記載の方法。
【請求項５】
前記第２の参照リストは、単一の参照ピクチャを識別する１つ以上のエントリを含むことを特徴とする請求項４に記載の方法。
【請求項６】
前記１つ以上のリストエントリはリストインデックスにより識別されることを特徴とする請求項１乃至５のいずれか１項に記載の方法。
【請求項７】
前記取得した構文要素を表すビット数は、前記構文要素の特定の値の確率に関連し、少ないビットが確率値を示し、より多くのビットがより小さい確率値を示すことを特徴とする請求項１乃至６のいずれか１項に記載の方法。
【請求項８】
隣接ブロックと関連付けられた単一の構文要素に基づいてＢeに対して参照情報予測を実行するステップを更に備えることを特徴とする請求項１乃至７のいずれか１項に記載の方法。
【請求項９】
マルチ予測と関連付けられたブロックの１つ以上のサブ領域を識別するステップと、
ここで、そのサブ領域に対して、前記マルチ予測参照ブロックのそれぞれの対応する領域は相対的に低い相関性を有するｌ
前記ブロックの前記識別された１つ以上のサブ領域に対して、前記マルチ予測ではなく別の予測を使用するステップと
を更に備えることを特徴とする請求項１乃至８のいずれか１項に記載の方法。
【請求項１０】
映像復号化エンティティ（５０１）における装置（５００）であって、
符号化ブロックＢeと関連付けられた単一の構文要素を取得するように構成された取得ユニット（５０４）と、
ここで、前記単一の構文要素を事前定義された第１の参照リストにおけるエントリを表し、
前記第１の参照リストは、複数の参照ピクチャ、単一の参照ピクチャのうちの少なくとも１つを識別する１つ以上のエントリを含む；
前記取得した構文要素に基づいて参照モード及び１つ以上の参照ピクチャを識別するように構成された識別ユニット（５０６）と、
前記識別された参照モード及び１つ以上の参照ピクチャに基づいて前記ブロックＢeを復号化し、画素の復号化ブロックＢを提供するように構成された復号化ユニット（５０８）と、
を備えることを特徴とする装置（５００）。
【請求項１１】
前記取得した構文要素と前記ブロックＢeを復号化する際に使用される前記参照モード及び１つ以上の特定の参照ピクチャとの事前定義されたマッピングに基づいて、前記参照モード及び前記１つ以上の参照ピクチャを識別するように更に構成されることを特徴とする請求項１２に記載の装置。
【請求項１２】
前記第１の参照リストにおける各エントリは、参照モードを更に識別することを特徴とする請求項１０又は１１に記載の装置。
【請求項１３】
前記単一の構文要素を事前定義された第２の参照リストにおける参照モード及びエントリを更に表すものとして解釈するように更に構成されることを特徴とする請求項１０乃至１２のいずれか１項に記載の装置。
【請求項１４】
前記第２の参照リストは、単一の参照ピクチャを識別する１つ以上のエントリを含むことを特徴とする請求項１３に記載の装置。
【請求項１５】
前記１つ以上のリストエントリはリストインデックスにより識別されることを特徴とする請求項１０乃至１４のいずれか１項に記載の装置。
【請求項１６】
少ないビットが確率値を示し、より多くのビットがより小さい確率値を示すように、前記取得した構文要素を表すビット数を前記構文要素の特定の値の確率に相関するものとして解釈するように更に構成されることを特徴とする請求項１０乃至１５のいずれか１項に記載の装置。
【請求項１７】
隣接ブロックと関連付けられた単一の構文要素に基づいてＢeに対して参照情報予測を実行するように更に構成されることを特徴とする請求項１０乃至１６のいずれか１項に記載の装置。
【請求項１８】
マルチ予測と関連付けられたブロックの１つ以上のサブ領域を識別するように更に構成され、そのサブ領域に対して、前記マルチ予測参照ブロックのそれぞれの対応する領域が相対的に低い相関性を有し、
前記ブロックの前記識別された１つ以上のサブ領域に対して、前記マルチ予測ではなく別の予測を使用するように更に構成されることを特徴とする請求項１０乃至１７のいずれか１項に記載の装置。
【請求項１９】
映像符号化エンティティにおける方法であって、
参照モード及び１つ以上の参照ピクチャを使用して画素のブロックＢを符号化（６０２）し、符号化ブロックＢｅを提供するステップと、
前記参照モード及び前記１つ以上の参照ピクチャを識別する単一の構文要素を導出するステップ（６０４）と、
ここで、前記単一の構文要素は、事前定義された第１の参照リストにおけるエントリを表し、
前記第１の参照リストは、複数の参照ピクチャ、単一の参照ピクチャのうちの少なくとも１つを識別する１つ以上のエントリを含む；
前記単一の構文要素を前記ブロックＢｅの復号器に提供するステップ（６０６）と、
を有することを特徴とする方法。
【請求項２０】
前記構文要素は、前記使用された参照モード及び１つ以上の参照ピクチャが事前定義されたマッピング方式に従って前記構文要素にマッピングされることで導出されることを特徴とする請求項１９に記載の方法。
【請求項２１】
前記第１の参照リストにおける各エントリは、参照モードを更に識別することを特徴とする請求項１９又は２０に記載の方法。
【請求項２２】
前記単一の構文要素は、事前定義された第２の参照リストにおける参照モード及びエントリを更に表すことを特徴とする請求項１９乃至２１のいずれか１項に記載の方法。
【請求項２３】
前記第２の参照リストは、それぞれの単一の参照ピクチャを識別する１つ以上のエントリを含むことを特徴とする請求項２２に記載の方法。
【請求項２４】
前記１つ以上のリストエントリはリストインデックスにより識別されることを特徴とする請求項１９乃至２３のいずれか１項に記載の方法。
【請求項２５】
より高い確率が少ないビットに対応し、より低い確率がより多くのビットに対応するように、前記構文要素が識別する前記特定のモード及びピクチャの確率に相関するように前記構文要素を表すビット数を選択するステップを更に備えることを特徴とする請求項１９乃至２４のいずれか１項に記載の方法。
【請求項２６】
Ｂの隣接ブロックと関連付けられた単一の構文要素に基づいてＢ又はＢeに対して参照情報予測を実行することを更に備えることを特徴とする請求項１９乃至２５のいずれか１項に記載の方法。
【請求項２７】
マルチ予測と関連付けられたブロックの１つ以上のサブ領域を識別するステップと、
ここで、そのサブ領域に対して、前記マルチ予測参照ブロックのそれぞれの対応する領域は相対的に低い相関性を有する；
前記ブロックの前記識別された１つ以上のサブ領域に対して、前記マルチ予測ではなく別の予測を使用するステップと
を更に備えることを特徴とする請求項１９乃至２６のいずれか１項に記載の方法。
【請求項２８】
映像符号化エンティティにおける装置（７００）であって、
参照モード及び１つ以上の参照ピクチャを使用して画素のブロックＢを符号化することにより、符号化ブロックＢeを提供するように構成された符号化ユニット（７０２）と、
前記参照モード及び前記１つ以上の参照ピクチャを識別する単一の構文要素を導出するように構成された導出ユニット（７０４）と、
ここで、前記単一の構文要素は、事前定義された第１の参照リストにおけるエントリを表し、
前記第１の参照リストは、複数の参照ピクチャ、単一の参照ピクチャのうちの少なくとも１つを識別する１つ以上のエントリを含む；
前記単一の構文要素を前記ブロックＢeの復号器に提供するように構成された提供ユニット（７０６）と、
を備えることを特徴とする装置（７００）。
【請求項２９】
前記参照モード及び１つ以上の参照ピクチャと前記構文要素との所定のマッピングから前記構文要素を導出するように更に構成されることを特徴とする請求項２８に記載の装置。
【請求項３０】
前記第１の参照リストにおける各エントリは、参照モードを更に識別することを特徴とする請求項２８又は２９に記載の装置。
【請求項３１】
事前定義された第２の参照リストにおける参照モード及びエントリを更に表すように前記単一の構文要素を導出するように更に構成されることを特徴とする請求項２８乃至３０のいずれか１項に記載の装置。
【請求項３２】
前記第２の参照リストは、それぞれの単一の参照ピクチャを識別する１つ以上のエントリを含むことを特徴とする請求項３１に記載の装置。
【請求項３３】
１つ以上の事前定義された参照リストにおける１つ以上のエントリを識別するリストインデックスを前記選択することで前記単一の構文要素を導出するように更に構成されることを特徴とする請求項２８乃至３２のいずれか１項に記載の装置。
【請求項３４】
より高い確率が少ないビットに対応し、より低い確率がより多くのビットに対応するように、前記構文要素が識別する前記特定のモード及びピクチャの確率に相関するように前記構文要素を表すビット数を選択するように更に構成されることを特徴とする請求項２８乃至３３のいずれか１項に記載の装置。
【請求項３５】
隣接ブロックと関連付けられた単一の構文要素に基づいてＢ又はＢeに対して参照情報予測を実行するように更に構成されることを特徴とする請求項２８乃至３４のいずれか１項に記載の装置。
【請求項３６】
マルチ予測と関連付けられたブロックの１つ以上のサブ領域を識別するように更に構成され、
ここで、そのサブ領域に対して、前記マルチ予測参照ブロックのそれぞれの対応する領域は相対的に低い相関性を有する；
前記ブロックの前記識別された１つ以上のサブ領域に対して、前記マルチ予測ではなく別の予測を使用するように更に構成される
ことを特徴とする請求項２８乃至３５のいずれか１項に記載の装置。
【請求項３７】
請求項１０乃至１８及び請求項２８乃至３６のいずれか１項に記載の装置において実行された時に請求項１乃至９及び請求項１９乃至２７のいずれか１項に記載の対応する手順を前記装置に実行させるコンピュータ可読コード手段を備えることを特徴とするコンピュータプログラム（８１０）。
【請求項３８】
請求項３７に記載の前記コンピュータプログラムを含むことを特徴とするコンピュータが可読な記憶媒体（８０８）。
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
映像復号化エンティティにおける方法であって、
符号化ブロックＢeと関連付けられた単一の構文要素を取得するステップ（４０２）と、
ここで、前記単一の構文要素は、事前定義された第１の参照リストにおけるエントリを表し、
前記第１の参照リストは、複数の参照ピクチャ、単一の参照ピクチャのうちの少なくとも１つを識別する１つ以上のエントリを含む；
前記取得した構文要素に基づいて参照モード及び１つ以上の参照ピクチャを識別するステップ（４０４）と、
前記識別された参照モード及び１つ以上の参照ピクチャに基づいて前記ブロックＢeを復号化（４０６）するステップとを有し、画素の復号化ブロックＢを提供することを特徴とする方法。
【請求項２】
参照モード及び１つ以上の参照ピクチャの前記識別は、前記取得した構文要素と前記ブロックＢeを復号化する際に使用される前記参照モード及び１つ以上の特定の参照ピクチャとの事前定義されたマッピングに基づくことを特徴とする請求項１に記載の方法。
【請求項３】
前記第１の参照リストにおける各エントリは、参照モードを更に識別することを特徴とする請求項１又は２に記載の方法。
【請求項４】
前記単一の構文要素は、事前定義された第２の参照リストにおける参照モード及びエントリを更に表すことを特徴とする請求項１乃至３のいずれか１項に記載の方法。
【請求項５】
映像復号化エンティティ（５０１）における装置（５００）であって、
符号化ブロックＢeと関連付けられた単一の構文要素を取得するように構成された取得ユニット（５０４）と、
ここで、前記単一の構文要素は事前定義された第１の参照リストにおけるエントリを表し、
前記第１の参照リストは、複数の参照ピクチャ、単一の参照ピクチャのうちの少なくとも１つを識別する１つ以上のエントリを含む；
前記取得した構文要素に基づいて参照モード及び１つ以上の参照ピクチャを識別するように構成された識別ユニット（５０６）と、
前記識別された参照モード及び１つ以上の参照ピクチャに基づいて前記ブロックＢeを復号化し、画素の復号化ブロックＢを提供するように構成された復号化ユニット（５０８）と、
を備えることを特徴とする装置（５００）。
【請求項６】
前記取得した構文要素と前記ブロックＢeを復号化する際に使用される前記参照モード及び１つ以上の特定の参照ピクチャとの事前定義されたマッピングに基づいて、前記参照モード及び前記１つ以上の参照ピクチャを識別するように更に構成されることを特徴とする請求項５に記載の装置。
【請求項７】
前記第１の参照リストにおける各エントリは、参照モードを更に識別することを特徴とする請求項５又は６に記載の装置。
【請求項８】
前記単一の構文要素を事前定義された第２の参照リストにおける参照モード及びエントリを更に表すものとして解釈するように更に構成されることを特徴とする請求項５乃至７のいずれか１項に記載の装置。
【請求項９】
前記第２の参照リストは、単一の参照ピクチャを識別する１つ以上のエントリを含むことを特徴とする請求項８に記載の装置。
【請求項１０】
前記１つ以上のリストエントリはリストインデックスにより識別されることを特徴とする請求項５乃至９のいずれか１項に記載の装置。
【請求項１１】
少ないビットが確率値を示し、より多くのビットがより小さい確率値を示すように、前記取得した構文要素を表すビット数を前記構文要素の特定の値の確率に相関するものとして解釈するように更に構成されることを特徴とする請求項５乃至１０のいずれか１項に記載の装置。
【請求項１２】
隣接ブロックと関連付けられた単一の構文要素に基づいてＢeに対して参照情報予測を実行するように更に構成されることを特徴とする請求項５乃至１１のいずれか１項に記載の装置。
【請求項１３】
マルチ予測と関連付けられたブロックの１つ以上のサブ領域を識別するように更に構成され、そのサブ領域に対して、前記マルチ予測参照ブロックのそれぞれの対応する領域が相対的に低い相関性を有し、
前記ブロックの前記識別された１つ以上のサブ領域に対して、前記マルチ予測ではなく別の予測を使用するように更に構成されることを特徴とする請求項５乃至１２のいずれか１項に記載の装置。
【請求項１４】
映像符号化エンティティにおける方法であって、
参照モード及び１つ以上の参照ピクチャを使用して画素のブロックＢを符号化（６０２）し、符号化ブロックＢeを提供するステップと、
前記参照モード及び前記１つ以上の参照ピクチャを識別する単一の構文要素を導出するステップ（６０４）と、
ここで、前記単一の構文要素は、事前定義された第１の参照リストにおけるエントリを表し、
前記第１の参照リストは、複数の参照ピクチャ、単一の参照ピクチャのうちの少なくとも１つを識別する１つ以上のエントリを含む；
前記単一の構文要素を前記ブロックＢeの復号器に提供するステップ（６０６）と、
を有することを特徴とする方法。
【請求項１５】
前記構文要素は、前記使用された参照モード及び１つ以上の参照ピクチャが事前定義されたマッピング方式に従って前記構文要素にマッピングされることで導出されることを特徴とする請求項１４に記載の方法。
【請求項１６】
前記第１の参照リストにおける各エントリは、参照モードを更に識別することを特徴とする請求項１４又は１５に記載の方法。
【請求項１７】
前記単一の構文要素は、事前定義された第２の参照リストにおける参照モード及びエントリを更に表すことを特徴とする請求項１４乃至１６のいずれか１項に記載の方法。
【請求項１８】
映像符号化エンティティにおける装置（７００）であって、
参照モード及び１つ以上の参照ピクチャを使用して画素のブロックＢを符号化することにより、符号化ブロックＢeを提供するように構成された符号化ユニット（７０２）と、
前記参照モード及び前記１つ以上の参照ピクチャを識別する単一の構文要素を導出するように構成された導出ユニット（７０４）と、
ここで、前記単一の構文要素は、事前定義された第１の参照リストにおけるエントリを表し、
前記第１の参照リストは、複数の参照ピクチャ、単一の参照ピクチャのうちの少なくとも１つを識別する１つ以上のエントリを含む；
前記単一の構文要素を前記ブロックＢeの復号器に提供するように構成された提供ユニット（７０６）と、
を備えることを特徴とする装置（７００）。
【請求項１９】
前記参照モード及び１つ以上の参照ピクチャと前記構文要素との所定のマッピングから前記構文要素を導出するように更に構成されることを特徴とする請求項１８に記載の装置。
【請求項２０】
前記第１の参照リストにおける各エントリは、参照モードを更に識別することを特徴とする請求項１８又は１９に記載の装置。
【請求項２１】
事前定義された第２の参照リストにおける参照モード及びエントリを更に表すように前記単一の構文要素を導出するように更に構成されることを特徴とする請求項１８乃至２０のいずれか１項に記載の装置。
【請求項２２】
前記第２の参照リストは、それぞれの単一の参照ピクチャを識別する１つ以上のエントリを含むことを特徴とする請求項２１に記載の装置。
【請求項２３】
１つ以上の事前定義された参照リストにおける１つ以上のエントリを識別するリストインデックスを前記選択することで前記単一の構文要素を導出するように更に構成されることを特徴とする請求項１８乃至２２のいずれか１項に記載の装置。
【請求項２４】
より高い確率が少ないビットに対応し、より低い確率がより多くのビットに対応するように、前記構文要素が識別する前記特定のモード及びピクチャの確率に相関するように前記構文要素を表すビット数を選択するように更に構成されることを特徴とする請求項１８乃至２３のいずれか１項に記載の装置。
【請求項２５】
隣接ブロックと関連付けられた単一の構文要素に基づいてＢ又はＢeに対して参照情報予測を実行するように更に構成されることを特徴とする請求項１８乃至２４のいずれか１項に記載の装置。
【請求項２６】
マルチ予測と関連付けられたブロックの１つ以上のサブ領域を識別するように更に構成され、
ここで、そのサブ領域に対して、前記マルチ予測参照ブロックのそれぞれの対応する領域は相対的に低い相関性を有する；
前記ブロックの前記識別された１つ以上のサブ領域に対して、前記マルチ予測ではなく別の予測を使用するように更に構成される
ことを特徴とする請求項１８乃至２５のいずれか１項に記載の装置。
【請求項２７】
請求項５乃至１３及び請求項１８乃至２６のいずれか１項に記載の装置において実行された時に請求項１乃至４及び請求項１４乃至１７のいずれか１項に記載の対応する手順を前記装置に実行させるコンピュータ可読コード手段を備えることを特徴とするコンピュータプログラム（８１０）。
【請求項２８】
請求項２７に記載の前記コンピュータプログラムを含むことを特徴とするコンピュータが可読な記憶媒体（８０８）。
【国際調査報告】
2013514718.tif 000016
2013514718.tif 000017
2013514718.tif 000018
2013514718.tif 000019